(57)【要約】【課題】少なくとも一方側への戸体の走行の助勢を可能としながらも、戸体を途中停止させ得る引戸装置を提供する。【解決手段】引戸装置１は、スライド自在とされ、開口９を開閉する戸体１０と、全開位置側及び閉鎖位置側のうちの少なくともいずれか一方側となる第１位置側への前記戸体の走行を助勢する助勢機構２と、前記助勢機構の助勢に抗して前記戸体を前記第１位置側への走行途中において半開き状態で解除可能に停止させるストッパー機構５６と、を備えている。【選択図】図１
2019143471.tif 000002
【特許請求の範囲】
【請求項１】
スライド自在とされ、開口を開閉する戸体と、
全開位置側及び閉鎖位置側のうちの少なくともいずれか一方側となる第１位置側への前記戸体の走行を助勢する助勢機構と、
前記助勢機構の助勢に抗して前記戸体を前記第１位置側への走行途中において半開き状態で解除可能に停止させるストッパー機構と、
を備えていること特徴とする引戸装置。
【請求項２】
請求項１において、
前記第１位置側が前記全開位置側であることを特徴とする引戸装置。
【請求項３】
請求項１または２において、
前記ストッパー機構は、前記第１位置側への走行途中において前記半開き状態で停止された前記戸体を前記第１位置側に向けて移動させれば解除される構成とされていることを特徴とする引戸装置。
【請求項４】
請求項１乃至３のいずれか１項において、
前記助勢機構は、前記第１位置側への走行途中において前記半開き状態で停止された前記戸体の前記第１位置側とは異なる側となる第２位置側への移動を許容する構成とされていることを特徴とする引戸装置。
【請求項５】
請求項１乃至４のいずれか１項において、
前記助勢機構は、前記戸体に連結されたランナーをガイドして助勢するように、前記第１位置側とは異なる側となる第２位置側から前記第１位置側に向けて下り坂状とされたレールと、該レールの前記第２位置側の端部において、前記第１位置側に向けて上り坂状とされ、かつ前記戸体の係合部がスライド自在に係合し該戸体を上らせるようにガイドする上り坂ガイド部と、を備えていること特徴とする引戸装置。
【請求項６】
請求項５において、
前記ランナーは、前記戸体の戸幅方向両端部のそれぞれに対状に連結されており、
前記助勢機構は、これら一対のランナーのそれぞれをガイドする前記レールと、前記戸体の戸幅方向両端側をガイドする前記上り坂ガイド部と、を前記レールが前記戸体の戸幅方向で直列状となるように対状に設けた構成とされていることを特徴とする引戸装置。
【発明の詳細な説明】
【技術分野】
【０００１】
本発明は、戸体を備えた引戸装置に関する。
【背景技術】
【０００２】
従来より、スライド自在に配されて開口を開閉する戸体の走行を助勢（アシスト）する機構を備えた引戸装置が知られている。
例えば、下記特許文献１や下記特許文献２では、レールに設けられたラックに噛み合う歯車やこの歯車の回転によって弾性力を蓄勢するゼンマイバネ等を有したギアボックスをドアに設けた装置が開示されている。
【先行技術文献】
【特許文献】
【０００３】
【特許文献１】特許第３９６０４３４号公報
【特許文献２】実用新案登録第３１７２８８２号公報
【発明の概要】
【発明が解決しようとする課題】
【０００４】
上記のような助勢機構を設けた場合には、戸体を一方側にスライドさせる際の負担を軽減することは可能となる。しかしながら、このような機構を設けた場合には、例えば、通気のためや、間仕切られた個室等の空間の様子や気配を伺ったり、垣間見たりするため等の種々の理由から、戸体を途中位置において停止させることは困難となり、更なる改善が望まれる。
【０００５】
本発明は、上記実情に鑑みてなされたものであり、少なくとも一方側への戸体の走行の助勢を可能としながらも、戸体を途中停止させ得る引戸装置を提供することを目的としている。
【課題を解決するための手段】
【０００６】
前記目的を達成するために、本発明に係る引戸装置は、スライド自在とされ、開口を開閉する戸体と、全開位置側及び閉鎖位置側のうちの少なくともいずれか一方側となる第１位置側への前記戸体の走行を助勢する助勢機構と、前記助勢機構の助勢に抗して前記戸体を前記第１位置側への走行途中において半開き状態で解除可能に停止させるストッパー機構と、を備えていること特徴とする。
【発明の効果】
【０００７】
本発明に係る引戸装置は、上述のような構成としたことで、少なくとも一方側への戸体の走行の助勢を可能としながらも、戸体を途中位置において停止させることができる。
【図面の簡単な説明】
【０００８】
【図１】（ａ）〜（ｃ）は、本発明の一実施形態に係る引戸装置の一例を模式的に示し、一部を省略した一部破断概略正面図である。
【図２】（ａ）は、同引戸装置の一例を施工した状態を模式的に示す一部破断概略正面図、（ｂ）は、（ａ）におけるＸ−Ｘ線矢視に対応させた一部破断概略横断面図である。
【図３】図２（ａ）におけるＹ−Ｙ線矢視に対応させた一部破断概略縦断面図である。
【図４】同引戸装置の一部を省略した一部破断概略分解斜視図である。
【図５】（ａ）は、図３におけるＺ１−Ｚ１線矢視に対応させた一部破断概略縦断面図、（ｂ）は、図３におけるＺ２−Ｚ２線矢視に対応させた一部破断概略縦断面図である。
【図６】（ａ）は、図５（ａ）に対応させた一部破断概略縦断面図、（ｂ）は、図５（ｂ）に対応させた一部破断概略縦断面図である。
【図７】（ａ）は、図５（ａ）に対応させた一部破断概略縦断面図、（ｂ）は、図５（ｂ）に対応させた一部破断概略縦断面図である。
【図８】（ａ）は、図５（ａ）に対応させた一部破断概略縦断面図、（ｂ）は、図５（ｂ）に対応させた一部破断概略縦断面図である。
【図９】（ａ）は、図５（ａ）に対応させた一部破断概略縦断面図、（ｂ）は、図５（ｂ）に対応させた一部破断概略縦断面図である。
【図１０】（ａ）は、図５（ａ）に対応させた一部破断概略縦断面図、（ｂ）は、図５（ｂ）に対応させた一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
図１〜図１０は、本実施形態に係る引戸装置を模式的に示す図である。
本実施形態に係る引戸装置１は、図１〜図３に示すように、間仕切壁等の壁体に設けられた出入口等となる開口９を開閉する戸体１０をスライド自在に設けた構成とされている。
この引戸装置１は、住居等に限られず、医療施設や福祉施設等の公共的な施設内や、商業施設内、各種店舗内、工場内等に設置されるものとしてもよく、また、屋内に限られず、屋外に設置されるものとしてもよい。
また、引戸装置１は、全開位置側及び閉鎖位置側のうちの少なくともいずれか一方側となる第１位置側への戸体１０の走行を助勢（アシスト）する助勢機構２を備えている。また、引戸装置１は、助勢機構２の助勢に抗して戸体１０を途中位置において、解除可能に停止させるストッパー機構５６，５７を備えている。
【００１１】
本実施形態では、助勢機構２を、全開位置側及び閉鎖位置側の両側への戸体１０の走行を助勢する構成としている。また、助勢機構２によって全開位置側への走行が助勢される戸体１０を途中位置において停止させるストッパー機構５６と、助勢機構２によって閉鎖位置側への走行が助勢される戸体１０を途中位置において停止させるストッパー機構５７と、を設けている。
また、助勢機構２を、図１及び図４に示すように、長手方向第１端部２１側から第２端部２２側に向かうに従い下るように傾斜する第１レール２３を備えた構成としている。また、助勢機構２を、この第１レール２３に並列状に設けられ、かつ第１レール２３とは逆側となる長手方向第２端部２２側から第１端部２１側に向かうに従い下るように傾斜する第２レール２６を備えた構成としている。また、助勢機構２を、これらレール２３，２６にスライド自在にガイドされるランナー４１，４４を有したものとし、かつ戸体１０を保持する保持具３０を備えた構成としている。
また、本実施形態では、助勢機構２を、戸体１０のレール長手方向に沿う方向（戸幅方向）に間隔を空けた複数箇所のそれぞれを保持する複数の保持具３０，３０を備えた構成としている。また、助勢機構２を、これら複数の保持具３０，３０の各ランナー４１，４４，４１，４４をそれぞれにガイドする複数の第１レール２３，２３及び第２レール２６，２６を直列状に設けた構成としている。
【００１２】
また、本実施形態では、引戸装置１を、片引き状に配される単一の戸体１０を備えた構成としている。また、図例では、戸体１０を、袖壁８を設けた袖壁納めで建て付けた例を示している。また、戸体１０を、上枠４、戸先側縦枠５、戸尻側縦枠６及び中方立（中間縦枠）７を備えた戸枠に建て付けた例を示している。この戸枠の上枠４、戸先側縦枠５及び中方立７によって開口９の上側及び開口幅方向両側が区画されたものとしている。また、この開口９の下側は、床面によって区画されたものとしてもよく、下枠によって区画されたものとしてもよい。
また、これら戸枠４，５，６，７は、適宜の枠下地に固定されるものとしてもよく、また、当該引戸装置１を、これら戸枠４，５，６，７を備えたものとして把握するようにしてもよい。また、図例では、これら戸枠４，５，６，７を固定枠状とした例を示しているが、ケーシング額縁を備えたケーシング枠状等としてもよい。なお、このような戸枠を設けずに、開口９を、無枠状にクロス仕上等された内装仕上面や、その他の仕上面によって区画するようにしてもよい。
【００１３】
また、本実施形態では、図２（ａ）及び図３に示すように、引戸装置１を、助勢機構２のレール幅方向（戸厚方向に沿う方向）両側をそれぞれに覆うカバー部材６０，６０を備えた構成としている。これらカバー部材６０，６０は、レール長手方向に長尺な帯板状（幕板状）とされ、助勢機構２の各レール２３，２６の取付対象となる上枠４と戸体１０との隙間を覆うように配される。つまり、これらカバー部材６０，６０は、上枠４の下方側に向く見込面と戸体１０の上端面との間の隙間を覆う構成とされている。
戸体１０の反袖壁面側のカバー部材６０は、図２（ａ）に示すように、戸先側縦枠５から戸尻側縦枠６までの戸幅方向に沿う寸法に応じた長さ寸法とされている。戸体１０の袖壁面側のカバー部材６０は、戸先側縦枠５から中方立７までの戸幅方向に沿う寸法に応じた長さ寸法とされている（図３参照）。
なお、これらカバー部材６０，６０は、上枠４等に、ねじや接着剤等によって固定されるものとしてもよい。また、このようなカバー部材６０，６０を設けた態様に代えて、上枠４に、戸体１０との隙間を覆うようなカバー部を設けた態様としてもよく、さらには、このようなカバー部材６０，６０やカバー部を設けずに、助勢機構２が露出するものとしてもよい。
【００１４】
戸体１０は、略矩形平板状とされている。また、戸体１０の戸先側端部の戸厚方向両側には、図２に示すように、引手１１，１１が設けられている。本実施形態では、引手１１，１１を、掘込状のものではなく、上下方向に延びる棒状（バー状）としている。これら引手１１，１１は、略同様の構成とされており、戸厚方向に見て、互いに重なり合う位置となるように設けられている。
また、これら引手１１，１１は、戸体１０が開口９を閉鎖した状態で、戸先側縦枠５との間に手指の挿入が可能な隙間が形成されるように設けられている。また、戸体１０の袖壁面側に設けられた引手１１は、戸体１０を全開させた状態で、中方立７との間に手指の挿入が可能な隙間が形成されるように設けられている。つまり、戸体１０は、全開状態で、引手１１，１１を含む戸先側の部位が、中方立７の開口９側に向く内側面よりも開口９側に突出するように配設される構成とされている。つまりは、戸体１０を、いわゆる引き残しが形成されるように建て付けられるものとしている。なお、この戸体１０の引手１１，１１等に、施解錠可能な錠機構を設けるようにしてもよい。
【００１５】
この戸体１０の戸幅寸法は、開口９の閉鎖が可能なように、開口９の開口幅に応じて適宜の寸法とされたものとしてもよい。本実施形態では、戸体１０の戸幅寸法を、図２（ｂ）に示すように、開口９を閉鎖した状態で、戸体１０の戸尻側端部が中方立７と戸厚方向に見て重合するような寸法としている。また、開口９の開口幅は、出入性の観点やバリアフリー性の観点等から適宜の寸法としてもよく、有効開口幅が、例えば、７５０ｍｍ以上や１０００ｍｍ以上等となるように、戸体１０の引き残し寸法に応じて適宜の寸法としてもよい。
また、この戸体１０の高さ寸法は、図２（ａ）及び図３に示すように、床面近傍から各レール２３，２６近傍に至るまでの寸法としてもよく、例えば、１８００ｍｍ〜２５００ｍｍ程度としてもよい。また、戸体１０の戸厚寸法は、例えば、２０ｍｍ〜４０ｍｍ程度としてもよい。このような戸体１０の各寸法は、当該引戸装置１の設置箇所や用途等に応じて、適宜、設定するようにしてもよい。
【００１６】
また、引戸装置１は、図２（ｂ）及び図３に示すように、戸体１０の下端側をガイドする下端ガイド部材３を備えている。本実施形態では、戸体１０の下端部に、下向きに開口する凹溝１２を戸幅方向に沿って設け、下端ガイド部材３を、凹溝１２に挿入（遊挿）されるガイドピン３ａを備えた構成としている。
この下端ガイド部材３は、図２（ｂ）に示すように、閉鎖位置と全開位置との間を移動する戸体１０の移動軌跡の直下に位置するように複数箇所に設けられる。この下端ガイド部材３は、閉鎖位置と全開位置との間を移動する戸体１０の直下に少なくとも一つが存在するように設けるようにしてもよい。また、この下端ガイド部材３を、磁石を設けたガイドピン３ａを上下方向に出没自在に収容し、床に埋め込まれるように配設されるマグネットガイドとしてもよい。この場合は、戸体１０の凹溝１２に、この下端ガイド部材３に対応させて磁石や磁性体等を設けてもよい。
【００１７】
なお、図２（ｂ）に示すように、閉鎖位置と全開位置との間を移動する戸体１０と常時、重なる位置に設けられる下端ガイド部材３等を、上下方向に出没不能とされたガイド部（ガイドピン）を備えた固定ガイド部材としてもよい。
また、戸体１０を、図例のような袖壁納めで建て付ける態様に限られず、戸袋納めや、アウトセット納めで建て付ける態様等としてもよい。また、片引き状に単一の戸体１０を設けた態様に限られず、引き分け状に２枚の戸体１０を設けた態様としてもよい。この場合は、それぞれの戸体１０の走行を補助して助勢し得るように、後記する助勢機構２，２を対状に設けるようにしてもよい。また、開口９としては、出入口等に限られず、種々の収納等の開口９としてもよい。
【００１８】
助勢機構２は、ランナー４１，４４を第１レール２３にガイドさせてランナー４１，４４に掛かる荷重によって第１レール２３を下る方向に走行補助する状態とランナー４１，４４を第２レール２６にガイドさせてランナー４１，４４に掛かる荷重によって第２レール２６を下る方向に走行補助する状態とに切り替えられる切替機構３１を備えている。
本実施形態では、図１及び図３等に示すように、ランナー４１，４４を、第１レール２３にスライド可能に係合してガイドされる第１ランナー４１と、第２レール２６にスライド可能に係合してガイドされる第２ランナー４４と、を備えた構成としている。また、切替機構３１を、第１ランナー４１側に荷重を掛ける状態と第２ランナー４４側に荷重を掛ける状態とに切り替えられる構成としている。
【００１９】
また、本実施形態では、助勢機構２を、図１に示すように、戸体１０の戸先側端部及び戸尻側端部の各上端側に連結された一対の保持具３０，３０を備えた構成としている。また、第１レール２３，２３と第２レール２６，２６とをそれぞれに並列状に設けた２つのレールユニット２０，２０を、これら保持具３０，３０のそれぞれをガイドするように、戸幅方向に沿って直列状に設けた構成としている。
レールユニット２０，２０は、閉鎖位置とされた戸体１０の戸先側端面から全開位置とされた戸体１０の戸尻側端面までの戸幅方向に沿う寸法の略１／２の長さ寸法とされ、開口９側及び袖壁８側のそれぞれに設けられる。また、これらレールユニット２０，２０は、互いに同高さに位置するように、かつ戸厚方向に一致した位置となるように設けられる。つまりは、これらレールユニット２０，２０は、レール長手方向に見て、互いに重なり合う位置となるように設けられる。
【００２０】
開口９側のレールユニット２０は、長手方向の第１端部２１を戸先側縦枠５に当接または近接させ、長手方向の第２端部２２が中方立７に近接した位置となるように配設される。この開口９側のレールユニット２０によって、戸体１０の戸先側端部の上端側に連結された保持具３０がレール長手方向にガイドされる。
袖壁８側のレールユニット２０は、長手方向の第１端部２１を開口９側のレールユニット２０の第２端部２２に当接または近接させ、長手方向の第２端部２２を戸尻側縦枠６に当接または近接させて配設される。この袖壁８側のレールユニット２０によって、戸体１０の戸尻側端部の上端側に連結された保持具３０がレール長手方向にガイドされる。
【００２１】
また、これらレールユニット２０，２０は、取付対象となる上枠４に、ねじや接着剤等によって固定されるものとしてもよい。図例では、上枠４に、これらレールユニット２０，２０の上側部位を受け入れる下向き開口の凹溝を長手方向に沿って設けた例を示している。このような態様に代えて、上枠４に、これらレールユニット２０，２０の略全体を受け入れる凹溝を設けた構成としてもよく、または、このような凹溝を設けずに、上枠４の下面にレールユニット２０，２０を取り付ける態様としてもよい。
なお、これらレールユニット２０，２０を含む戸体１０の戸先側端部側の走行を補助する機構２０，３０，５０，５０Ａと戸体１０の戸尻側端部側の走行を補助する機構２０，３０，５０，５０Ａとは、本実施形態では、互いに同様の構成である。そのため、以下では、一方側となる戸先側端部の走行を補助する機構２０，３０，５０，５０Ａを例にとって主に説明する。
【００２２】
レールユニット２０の第１レール２３と第２レール２６とは、互いの長手方向両端が長手方向で一致した位置となるように、レールユニット２０の第１端部２１から第２端部２２まで全長に亘って設けられている。
第１レール２３は、第１端部２１から第２端部２２に向かうに従い下るように、下り坂状に傾斜している。第２レール２６は、第２端部２２から第１端部２１に向かうに従い下るように、下り坂状に傾斜している。本実施形態では、これら第１レール２３と第２レール２６とを、戸厚方向に並列状に設けている。また、これら第１レール２３と第２レール２６とを、戸厚方向に見て、交差状となるように設けている。また、これら第１レール２３と第２レール２６との交差部がこれらの長手方向略中央に位置するように、これら第１レール２３と第２レール２６とを並列状に設けている。また、第１レール２３の第１端部２１側の上縁と第２レール２６の第２端部２２側の上縁とが同高さとなり、第１レール２３の第２端部２２側の下縁と第２レール２６の第１端部２１側の下縁とが同高さとなる構成とされている（図５及び図１０も参照）。また、長手方向両端部２１，２２において、これら第１レール２３及び第２レール２６の一部が、戸厚方向に見て、互いに重なり合う構成としている。
【００２３】
また、本実施形態では、図３及び図４に示すように、第２レール２６の幅方向両側に位置するように一対の第１レール２３，２３を設けた構成としている。また、これら一対の第１レール２３，２３のそれぞれにガイドされるように、後記する保持具３０に一対の第１ランナー４１，４１を設けた構成としている。
一対の第１レール２３，２３は、それぞれに戸厚方向外方側に向けて開口するガイド溝２４，２４を設けた構成とされている。これら第１レール２３，２３は、それぞれのガイド溝２４，２４を区画する上板部と戸厚方向内方側の側板部と下板部２５，２５とを備え、レール長手方向に見て、略Ｃ字状（略Ｕ字状）とされている。
本実施形態では、これら第１レール２３，２３の上板部と下板部２５，２５とを互いに平行状に設けている。つまり、これら第１レール２３，２３の上板部及び下板部２５，２５を、第１端部２１から第２端部２２に向かうに従い下る傾斜形状としている。また、これら第１レール２３，２３を、全長に亘って一様な形状としている。
【００２４】
また、これら第１レール２３，２３の上板部の側板部からの戸厚方向に沿う突出寸法を、下板部２５，２５の側板部からの戸厚方向に沿う突出寸法よりも大としている。図例では、第１レール２３，２３の上板部の突出寸法を、下板部２５，２５の突出寸法の略２倍程度とした例を示している。
また、これら第１レール２３，２３の下板部２５，２５の上面が、後記する第１ランナー４１，４１の案内面（転動体４３，４３の走行面）となり、第１端部２１から第２端部２２に向かうに従い下る傾斜面状とされている。
【００２５】
第２レール２６は、下方側に向けて開口するガイド溝２７を設けた構成とされている。この第２レール２６は、ガイド溝２７を区画する上板部と戸厚方向両側の側板部とこれら両側板部の下端から互いに向き合う方向に突出する下板部２８，２８とを備え、レール長手方向に見て、略Ｃ字状（略Ｕ字状）とされている。
本実施形態では、第２レール２６の上板部と下板部２８，２８とを互いに平行状に設けている。つまり、この第２レール２６の上板部及び下板部２８，２８を、第２端部２２から第１端部２１に向かうに従い下る傾斜形状としている。また、この第２レール２６を、全長に亘って一様な形状としている。
また、この第２レール２６の両側の下板部２８，２８の上面が、後記する第２ランナー４４の案内面（転動体４６，４６の走行面）となり、第２端部２２から第１端部２１に向かうに従い下る傾斜面状とされている。
【００２６】
なお、これら第１レール２３，２３と第２レール２６とからなるレールユニット２０は、それぞれに別部材からなる第１レール２３，２３と第２レール２６とをねじや溶接、接着剤等によって接合して形成されたものとしてもよい。または、レールユニット２０の第１レール２３，２３と第２レール２６とを一体的に形成したものとしてもよい。さらには、直列状に設けられた複数（本実施形態では、２つ）のレールユニット２０，２０を一体的に形成したものとしてもよい。
また、上記した例では、第１レール２３，２３の上板部と下板部２５，２５とを互いに平行状とし、第２レール２６の上板部と下板部２８，２８とを互いに平行状とした例を示しているが、このような態様に限られない。これら各レール２３，２３，２６の下板部２５，２５，２８，２８の上面が上記のような傾斜面状であればよく、第１レール２３，２３及び第２レール２６の上板部のうちの全ての上板部またはいずれかの上板部を、水平状としてもよい。
【００２７】
保持具３０は、図５に示すように、本実施形態では、第１ランナー４１，４１と第２ランナー４４とをレール長手方向に間隔を空けて配置した構成とされている。また、保持具３０は、戸体１０をレール長手方向にスライド自在に保持し、切替機構を構成する切替部３１を有している。また、保持具３０は、切替部３１に対して戸体１０がレール長手方向に移動されることで第１ランナー４１，４１側に荷重を掛ける状態と第２ランナー４４側に荷重を掛ける状態とに切り替えられる構成とされている。また、本実施形態では、第１ランナー４１，４１と第２ランナー４４とを、各レール２３，２６に沿って走行補助される際に荷重が掛けられる側が先頭となるように配置している。つまり、本実施形態では、保持具３０のレール長手方向第２端部２２側に第１ランナー４１，４１を設け、保持具３０のレール長手方向第１端部２１側に第２ランナー４４を設けた構成としている。
【００２８】
切替部３１は、保持具本体を構成し、本実施形態では、戸体１０を吊下げるように保持するハンガー状とされている。この切替部３１は、戸体１０の略直上に位置するように配される。また、この切替部３１には、戸体１０に設けられた係合部１４がスライド自在に係合するガイド部３２が設けられている。本実施形態では、このガイド部３２を、レールユニット２０の長手方向の各端部２１，２２において異なる端部２２，２１側に向けて戸体１０を上らせるようにガイドする上り坂ガイド部を構成するものとしている。
また、本実施形態では、切替部３１のガイド部３２を、戸厚方向に沿う方向に開口し、レール長手方向に沿う方向に延びるガイド溝状としている。また、このガイド部３２を、戸厚方向に沿う方向に貫通し、レール長手方向に沿う方向に延びるスリット状のガイド溝状としている。また、このガイド部３２を、戸厚方向に沿う方向に見て、長手方向両端部が略半円形状とされたものとしている。また、このガイド部３２の戸厚方向両側のそれぞれの開口周縁に、全周に亘って凹段部を設けた構成としている。換言すれば、ガイド部３２の内周部の戸厚方向に沿う方向の中央部に、周方向に延びる凸条部を全周に亘って設けた構成としている。
【００２９】
このガイド部３２にスライド自在に係合してガイドされる戸体１０側の係合部１４は、図４及び図５に示すように、戸幅方向の端部（戸先側端部）の上端部に設けられている。この係合部１４は、保持具３０と戸体１０とを連結する連結部としても機能する。なお、戸体１０の戸尻側端部にも同様な係合部１４が設けられている。
本実施形態では、この係合部１４を、上記のように戸厚方向に貫通する切替部３１のガイド部３２に挿通される戸厚方向に軸方向を沿わせた軸状（円柱状）としている。また、この係合部１４に、上記したガイド部３２の戸厚方向両側に設けられた凹段部にそれぞれが係合し、凹段部の上方側に向く面に沿って走行する転動体を設けた構成としている。また、係合部１４の戸厚方向両側の転動体間には、ガイド部３２の上下の凸条部間に挿通される軸部が設けられている。
また、係合部１４は、戸体１０の上端面から上方に向けて突出するように、かつ戸厚方向に間隔を空けて設けられた一対の支持片状の連結基部１３に架け渡されるように設けられている。
【００３０】
なお、切替部３１のガイド部３２及び戸体１０の係合部１４としては、上記したような態様に限られない。例えば、ガイド部３２を戸厚方向に貫通させた態様に代えて、戸厚方向両側または一方側に開口するガイド溝状としてもよい。この場合は、戸体１０の係合部１４を、戸厚方向両側または一方側のガイド部３２に係合する転動体を設けた構成としてもよい。また、戸体１０の係合部１４が引っ掛けられるように係合する構造とされたガイド部３２としてもよい。切替部３１のガイド部３２及びこれにスライド自在に係合する戸体１０の係合部１４としては、その他、種々の変形が可能である。
【００３１】
一対の第１ランナー４１，４１は、図５（ａ）に示すように、切替部３１のガイド部３２の長手方向一方側部位となるレール長手方向第２端部２２側部位の上側に位置するように設けられており、互いに同様の構成とされている。
また、これら第１ランナー４１，４１は、後記するように変位する切替部３１の変位を許容するように、互いに同軸状とされた戸厚方向に沿う軸廻りに切替部３１に対して回転（揺動）自在とされている。本実施形態では、図４に示すように、切替部３１に、第１ランナー４１，４１のベース部４２，４２が回転自在に連結される一対の第１連結片部３９，３９を戸厚方向に間隔を空けて設けた構成としている。これら第１連結片部３９，３９は、上方に向けて突出するように設けられ、それぞれの上端部に第１ランナー４１，４１のベース部４２，４２を回転自在に連結した構成とされている。
【００３２】
また、一対の第１ランナー４１，４１のベース部４２，４２には、上記した一対の第１レール２３，２３のそれぞれの下板部２５，２５上を転動する転動体４３，４３が設けられている。これら転動体４３，４３は、第１レール２３，２３にスライド自在に係合する係合部を構成し、戸厚方向に軸方向を沿わせた軸廻りに回転自在とされている。戸厚方向一方側の第１ランナー４１の転動体４３と戸厚方向他方側の第１ランナー４１の転動体４３とは、互いに同径でかつ同軸状となるように設けられている。
また、これら転動体４３，４３は、図３及び図４に示すように、各ベース部４２，４２の互いに向き合う側となる戸厚方向内方側に設けられている。各ベース部４２，４２及び第１連結片部３９，３９は、図３に示すように、上枠４に設けられた凹溝の溝内側壁と第１レール２３，２３の下板部２５，２５との間の隙間に挿通される構成とされている。
【００３３】
また、本実施形態では、第１ランナー４１，４１のそれぞれに、レール長手方向に間隔を空けて複数（図例では、２つ）の転動体４３，４３，４３，４３を設けた構成としている。図例では、各第１ランナー４１，４１のベース部４２，４２と第１連結片部３９，３９との連結部のレール長手方向両側のそれぞれに転動体４３，４３，４３，４３を設けた構成としている。
また、本実施形態では、これら第１ランナー４１，４１のベース部４２，４２を、連結された一体状のものとしている。図例では、第１ランナー４１，４１を、第２レール２６を受け入れるように、レール長手方向に見て上方に向けて開口する略Ｃ字状（略Ｕ字状）とした例を示している。つまり、一対のベース部４２，４２の下端部を連結する連結部を設けた構成としている。
【００３４】
第２ランナー４４は、図５（ｂ）に示すように、切替部３１のガイド部３２の長手方向他方側部位となるレール長手方向第１端部２１側部位の上側に位置するように設けられている。
また、第２ランナー４４は、後記するように変位する切替部３１の変位を許容するように、戸厚方向に沿う軸廻りに切替部３１に対して回転（揺動）自在とされている。本実施形態では、図４に示すように、切替部３１に、第２ランナー４４のベース部４５が回転自在に連結される第２連結片部４０を設けた構成としている。この第２連結片部４０は、上方に向けて突出するように設けられ、この上端部に第２ランナー４４のベース部４５を回転自在に連結した構成とされている。また、第２連結片部４０は、図３に示すように、第２レール２６の両側の下板部２８，２８間の隙間に挿通される構成とされている。
【００３５】
また、第２ランナー４４のベース部４５の戸厚方向両側には、上記した第２レール２６の両側の下板部２８，２８上を転動する転動体４６，４６が設けられている。これら転動体４６，４６は、第２レール２６にスライド自在に係合する係合部を構成し、戸厚方向に軸方向を沿わせた軸廻りに回転自在とされている。ベース部４５の戸厚方向一方側の転動体４６と戸厚方向他方側の転動体４６とは、互いに同径でかつ同軸状となるように設けられている。
また、本実施形態では、第２ランナー４４のベース部４５の戸厚方向両側のそれぞれに、レール長手方向に間隔を空けて複数（図例では、２つ）の転動体４６，４６，４６，４６を設けた構成としている。図例では、第２ランナー４４のベース部４５と第２連結片部４０との連結部のレール長手方向両側のそれぞれに転動体４６，４６，４６，４６を設けた構成としている。
【００３６】
また、この第２ランナー４４の各転動体４６と第１ランナー４１の各転動体４３とは、互いに同径とされ、かつ、後記するように変位する切替部３１のガイド部３２が長手方向を略水平方向に沿わせた状態で、それぞれの軸心が同高さに位置する構成とされている。
このように第１ランナー４１，４１と第２ランナー４４とをレール長手方向に間隔を空けて配置した切替部３１のガイド部３２は、図５及び図１０に示すように、レールユニット２０の長手方向両端部２１，２２に配置された状態では、傾斜状となる。
つまり、図５に示すように、レールユニット２０の第１端部２１に保持具３０が位置した状態では、第１ランナー４１の転動体４３が第１レール２３の下板部２５の最も高い部位（坂上）近傍に位置し、第２ランナー４４の転動体４６が第２レール２６の下板部２８の最も低い部位（坂下）近傍に位置する。この位置では、第１ランナー４１が係合する第１レール２３の下板部２５と第２ランナー４４が係合する第２レール２６の下板部２８との高低差によってガイド部３２が第２ランナー４４側から第１ランナー４１側に向かうに従い上るような傾斜状（上り坂状）となる。
【００３７】
また、図１０に示すように、レールユニット２０の第２端部２２に保持具３０が位置した状態では、第１ランナー４１の転動体４３が第１レール２３の下板部２５の最も低い部位（坂下）近傍に位置し、第２ランナー４４の転動体４６が第２レール２６の下板部２８の最も高い部位（坂上）近傍に位置する。この位置では、第１ランナー４１が係合する第１レール２３の下板部２５と第２ランナー４４が係合する第２レール２６の下板部２８との高低差によってガイド部３２が第１ランナー４１側から第２ランナー４４側に向かうに従い上るような傾斜状（上り坂状）となる。
また、レールユニット２０の長手方向中央部に保持具３０が位置した状態では、図示は省略しているが、第１レール２３の下板部２５と第２レール２６の下板部２８とが略同高さとなり、ガイド部３２は、長手方向を略水平方向に沿わせた略水平状となる。
【００３８】
このガイド部３２に対して戸体１０の係合部１４を移動させることで、第１ランナー４１及び第２ランナー４４のうちのいずれか一方に戸体１０の荷重を多く掛けるように切り替えることができ、これにより、戸体１０の走行の助勢がなされる。
つまり、図１（ａ）及び図５に示すように、戸体１０を閉鎖位置とし、ガイド部３２の第２ランナー４４側に係合部１４を位置させた状態では、第１ランナー４１よりも第２ランナー４４に戸体１０の荷重が多く掛けられた状態となる。この閉鎖位置では、戸体１０は、第２ランナー４４が係合する第２レール２６が第１端部２１に向けて下るように傾斜しているので、第１端部２１側に向けて移動するように助勢された状態となるが、戸先側縦枠５や適宜のストッパーによって、その移動が抑止される。
【００３９】
上記のように閉鎖位置とされた戸体１０を、切替部３１のガイド部３２に対して第１端部２１側から第２端部２２側に移動させれば、戸体１０を保持する保持具３０の重心が移動するように、第１ランナー４１側に戸体１０の荷重が掛かる状態となるように切り替えられる。つまり、戸体１０の係合部１４がガイド部３２の第１ランナー４１側に位置すれば、第２ランナー４４よりも第１ランナー４１に戸体１０の荷重が多く掛けられた状態となる。
つまりは、図５〜図９に示すように、切替部３１は、第２ランナー４４側から第１ランナー４１側に向かうに従い上るような傾斜状とされたガイド部３２を上らせるように戸体１０を移動させることで第１ランナー４１側に荷重を掛ける状態に切り替えられる構成とされている。
このように、第１ランナー４１側に戸体１０の荷重が掛けられれば、第２端部２２に向けて下り坂状の第１レール２３を下る方向に第１ランナー４１がスライドし、これにより、戸体１０がその荷重によって開放側となる第２端部２２側に向けて助勢される。また、このように第１ランナー４１側に荷重が掛けられて第１レール２３を下る方向に走行補助された状態では、第１ランナー４１が先頭となる。
【００４０】
また、図１（ｃ）及び図１０に示すように、第１ランナー４１側に荷重が掛けられた状態で、戸体１０が全開位置とされれば、戸体１０は、第２端部２２側に向けて移動するように助勢された状態となるが、戸尻側縦枠６や適宜のストッパーによって、その移動が抑止される。
このように全開位置とされた戸体１０を、上記とは逆に、切替部３１のガイド部３２に対して第２端部２２側から第１端部２１側に移動させれば、戸体１０を保持する保持具３０の重心が移動するように、第２ランナー４４側に戸体１０の荷重が掛かる状態となるように切り替えられる。つまり、図１０に示すように、切替部３１は、第１ランナー４１側から第２ランナー４４側に向かうに従い上るような傾斜状とされたガイド部３２を上らせるように戸体１０を移動させることで第２ランナー４４側に荷重を掛ける状態に切り替えられる構成とされている。
このように、第２ランナー４４側に戸体１０の荷重が掛けられれば、第１端部２１に向けて下り坂状の第２レール２６を下る方向に第２ランナー４４がスライドし、これにより、戸体１０がその荷重によって閉鎖側となる第１端部２１側に向けて助勢される。また、このように第２ランナー４４側に荷重が掛けられて第２レール２６を下る方向に走行補助された状態では、第２ランナー４４が先頭となる。
【００４１】
つまり、本実施形態では、閉鎖位置及び全開位置のうちのいずれか一方（初期位置）に位置した戸体１０を、ガイド部３２に沿わせて他方側に向けてガイド部３２を上らせるように移動させ、その位置エネルギーを利用して戸体１０の走行を助勢する構成としている。
上記したガイド部３２のレール長手方向に沿う寸法は、助勢がなされるまでに要する戸体１０の移動寸法（初期操作ストローク）を短くする観点や、戸幅寸法等に応じて、適宜、設定するようにしてもよい。また、閉鎖位置及び全開位置におけるガイド部３２の水平面に対する傾斜角度（初期傾斜角度）及び各レール２３，２６の下板部２５，２８の水平面に対する傾斜角度（レール傾斜角度）も、同様な観点や、戸体１０の所望する助勢度合、戸体１０の質量、各レール２３，２６における摩擦抵抗等に応じて、適宜、設定するようにしてもよい。
このガイド部３２のレール長手方向に沿う寸法を長くすれば、初期傾斜角度を小さくすることができ、操作に要する力を小さくすることができるが、初期操作ストロークが大きくなる傾向がある。一方、このガイド部３２のレール長手方向に沿う寸法を短くすれば、初期操作ストロークを小さくすることができるが、初期傾斜角度が大きくなり、操作に要する力が大きくなる傾向がある。
【００４２】
上記のような観点から、ガイド部３２のレール長手方向に沿う寸法を、戸幅寸法の１／２未満としてもよく、戸幅寸法の１／３〜１／２０程度としてもよく、好ましくは、１／５〜１／１０程度としてもよい。例えば、ガイド部３２のレール長手方向に沿う寸法を、初期操作ストロークが５０ｍｍ〜２００ｍｍ程度となるような寸法としてもよい。
また、上記初期傾斜角度及びレール傾斜角度を、助勢がなされる位置まで持ち上げられた戸体１０がその荷重によって外力を要することなく言わば自走するように、戸体１０の質量や各レール２３，２６における摩擦抵抗等に応じて、適宜、設定するようにしてもよい。例えば、初期操作時の操作力を小さくする観点から、初期傾斜角度を、２度〜２０度程度としてもよく、好ましくは、２度〜１０度程度、より好ましくは、２度〜７度程度としてもよい。また、各レール２３，２６のレール傾斜角度は、このようなガイド部３２の初期傾斜角度や戸体１０の戸幅寸法等に応じて設定するようにすればよく、初期傾斜角度よりも小さくなるようにすればよい。
また、上記初期操作ストローク及び初期傾斜角度を、初期位置から助勢がなされる位置まで持ち上げられる戸体１０の上下方向への変位量が５ｍｍ〜３０ｍｍ程度、好ましくは、５ｍｍ〜２０ｍｍ程度、より好ましくは、５ｍｍ〜１０ｍｍ程度となるように、適宜、設定するようにしてもよい。
【００４３】
また、本実施形態では、助勢機構２は、第１ランナー４１側に荷重を掛ける状態に戸体１０を移動させる際における切替部３１の移動を解除可能に抑止する第１ロック機構５６を備えている。本実施形態では、この第１ロック機構５６を、全開位置側に向けて助勢される戸体１０を途中位置において停止させるストッパー機構としている。
また、助勢機構２は、第２ランナー４４側に荷重を掛ける状態に戸体１０を移動させる際における切替部３１の移動を解除可能に抑止する第２ロック機構５７を備えている。本実施形態では、この第２ロック機構５７を、閉鎖位置側に向けて助勢される戸体１０を途中位置において停止させるストッパー機構としている。
また、助勢機構２は、第１ランナー４１側に荷重が掛けられた状態を解除可能に維持する第３ロック機構４７と、第２ランナー４４側に荷重が掛けられた状態を解除可能に維持する第４ロック機構４８と、を備えている。
つまり、第１ロック機構５６及び第２ロック機構５７は、本実施形態では、戸体１０が閉鎖位置及び全開位置のうちのいずれか一方（初期位置）とされた状態の切替部３１の他方側への移動を解除可能に抑止する構成とされている。また、第３ロック機構４７及び第４ロック機構４８は、戸体１０を保持する保持具３０の重心を移動させるように切り替えられた状態を解除可能に維持する構成とされている。
【００４４】
また、本実施形態では、第１ロック機構５６によって切替部３１の移動が抑止された状態で戸体１０を切替部３１に対して第１ランナー４１側に荷重を掛ける状態に移動させれば、第３ロック機構４７がロック状態とされ、かつ第１ロック機構５６が解除される構成としている。つまり、第１ロック機構５６は、図１（ｂ）に示すように、途中位置において停止された戸体１０を全開位置側に向けて移動させれば解除される構成とされている。
また、本実施形態では、第３ロック機構４７がロック状態とされてから戸体１０を更に僅かに移動させれば、第１ロック機構５６の解除がなされる構成としている。
また、第１ロック機構５６が解除され、さらに切替部３１の移動が第２ロック機構５７に抑止される位置となるように戸体１０が移動すれば、第３ロック機構４７が解除される構成としている。
【００４５】
一方、第２ロック機構５７によって切替部３１の移動が抑止された状態で戸体１０を切替部３１に対して第２ランナー４４側に荷重を掛ける状態に移動させれば、第４ロック機構４８がロック状態とされ、かつ第２ロック機構５７が解除される構成としている。つまり、第２ロック機構５７は、上記同様、途中位置において停止された戸体１０を閉鎖位置側に向けて移動させれば解除される構成とされている。
また、本実施形態では、第４ロック機構４８がロック状態とされてから戸体１０を更に僅かに移動させれば、第２ロック機構５７の解除がなされる構成としている。
また、第２ロック機構５７が解除され、さらに切替部３１の移動が第１ロック機構５６に抑止される位置となるように戸体１０が移動すれば、第４ロック機構４８が解除される構成としている。
つまり、本実施形態では、各ロック機構５６，５７，４７，４８のロックとその解除とが、戸体１０の移動に伴いなされる構成としている。
【００４６】
第１ロック機構５６及び第２ロック機構５７は、図１に示すように、本実施形態では、レールユニット２０の第１端部２１側及び第２端部２２側のそれぞれに設けられている。
これら第１ロック機構５６及び第２ロック機構５７には、図５（ａ）及び図１０（ａ）に示すように、切替部３１（保持具３０）に設けられた被ロック部３３，３４に係合して切替部３１の移動を抑止するロック部５６ｂ，５７ｂが設けられている。また、戸体１０には、切替部３１の被ロック部３３，３４に対する第１ロック機構５６及び第２ロック機構５７のロック部５６ｂ，５７ｂの係合を解除する解除部１６が設けられている。
これら第１ロック機構５６及び第２ロック機構５７は、レールユニット２０の長手方向の各端部２１，２２や戸枠４，５（６），７、躯体（取付下地）等に固定された第１ロックユニット５０及び第２ロックユニット５０Ａに設けられている。
また、第１端部２１側に設けられた第１ロックユニット５０と第２端部２２側に設けられた第２ロックユニット５０Ａとは、これらに設けられたロック機構５６，５７を含め、左右対称状（レールユニット２０の長手方向中心線を対称軸とする線対称状）とされている。
【００４７】
本実施形態では、第１ロック機構５６及び第２ロック機構５７のそれぞれを、各ロックユニット５０，５０Ａに対して戸厚方向に沿う軸５２，５２廻りに回転自在に保持され、レバー状とされた第１ロックレバー５６及び第２ロックレバー５７としている。
これら第１ロックレバー５６及び第２ロックレバー５７は、切替部３１の戸厚方向一方側に位置するように配される。また、これら第１ロックレバー５６及び第２ロックレバー５７は、レール長手方向に長尺状とされ、切替部３１のレール長手方向に沿う長さと概ね同長さとされている。
第１ロックレバー５６は、第１端部２１側の端部に、ロック部５６ｂを設け、第２端部２２側の端部に、戸体１０の解除部１６に解除される被解除部５６ｄを設けた構成とされている。本実施形態では、ロック部５６ｂを、図４及び図５（ａ）に示すように、当該第１ロックレバー５６の長手方向外方側となる第１端部２１側及び上方側に向けて開口するように切欠状に設けられた凹段状としている。また、被解除部５６ｄを、下方側に向けて突出し、戸厚方向に見て、下方側に向かうに従い先細り状とされた凸状としている。つまり、この被解除部５６ｄのレール長手方向両側面は、下方側に向かうに従い互いに近接する方向に傾斜する傾斜面とされている。
【００４８】
また、この第１ロックレバー５６は、長手方向途中部位（図例では、長手方向略中央部）に、回転中心となる軸受孔５６ａを設けた構成とされている。第１ロックユニット５０には、この軸受孔５６ａに挿通される軸部５２が設けられている。なお、第１ロックユニット５０に軸受孔を設け、第１ロックレバー５６に軸部を設けた構成としてもよい。
また、第１ロックユニット５０に、この第１ロックレバー５６をロック側へ付勢する付勢部材５５を設けている。図例では、付勢部材５５を、軸受孔５６ａよりもロック部５６ｂ側の部位を、上方に向けて付勢するように第１ロックユニット５０のばね保持部５４に保持された引張コイルばねとしている。
また、第１ロックユニット５０に、この第１ロックレバー５６の回転を規制する規制部５３を設けている。本実施形態では、この規制部５３を、第１ロックレバー５６の軸受孔５６ａよりもロック部５６ｂ側の部位に戸厚方向一方側に向けて突出するように設けられたピン状の被規制部５６ｃを受け入れる上下に長径の長孔状としている。この規制部５３は、付勢部材５５によって付勢された第１ロックレバー５６のロック側への更なる回転を抑止する構成とされている。ばね保持部５４、規制部５３及び軸部５２は、第１ロックレバー５６の戸厚方向一方側に設けられた第１ロックユニット５０のプレート状部に設けられている。また、付勢部材５５は、下端部が第１ロックレバー５６の被規制部５６ｃに連結され、上端部がばね保持部５４に連結されて保持されている。
【００４９】
第２ロックレバー５７は、図１０（ａ）に示すように、第１ロックレバー５６を左右反転させたような構成とされている。つまり、第２ロックレバー５７は、第２端部２２側の端部に、上記同様な凹段状のロック部５７ｂを設け、第１端部２１側の端部に、戸体１０の解除部１６に解除される上記同様な凸状の被解除部５７ｄを設けた構成とされている。また、第２ロックレバー５７の長手方向途中部位（図例では、長手方向略中央部）には、第２ロックユニット５０Ａに設けられた上記同様な軸部５２が挿通される上記同様な軸受孔５７ａが設けられている。なお、上記同様、第２ロックユニット５０Ａに軸受孔を設け、第２ロックレバー５７に軸部を設けた構成としてもよい。
また、第２ロックユニット５０Ａに、第２ロックレバー５７をロック側へ付勢する上記同様な付勢部材５５及びこれを保持するばね保持部５４を設けている。
また、第２ロックユニット５０Ａに、この第２ロックレバー５７に設けられた上記同様な被規制部５７ｃを受け入れる上記同様な規制部５３を設けている。
なお、第１ロックレバー５６及び第２ロックレバー５７をロック側に付勢する付勢部材５５を、ロック部５６ｂ，５７ｂ側の適宜の部位を上方に向けて押し上げるように付勢する圧縮コイルばね等としてもよい。
【００５０】
保持具３０の切替部３１には、第１ロックレバー５６のロック部５６ｂに係合する第１被ロック部３３と、第２ロックレバー５７のロック部５７ｂに係合する第２被ロック部３４と、が設けられている。これら第１被ロック部３３と第２被ロック部３４とは、切替部３１のガイド部３２の長手方向両側方に位置するように対状に設けられている。第１被ロック部３３は、切替部３１の第１端部２１側の端部に設けられ、第２被ロック部３４は、切替部３１の第２端部２２側の端部に設けられている。本実施形態では、これら第１被ロック部３３及び第２被ロック部３４を、図４に示すように、戸厚方向一方側に向けて突出するピン状としている。
【００５１】
また、戸体１０に設けられた解除部１６は、図４に示すように、戸厚方向一方側に向けて突出するピン状とされている。本実施形態では、この解除部１６を、第１ロックレバー５６のロック解除及び第２ロックレバー５７のロック解除を行う兼用のものとしている。
この解除部１６は、第１ロックレバー５６及び第２ロックレバー５７をロック解除側に回転させるように、これらの被解除部５６ｄ，５７ｄに当接する構成とされている。
また、この解除部１６を、戸体１０の戸幅方向の端部（戸先側端部）の上端部に設けられた連結基部１３に設けている。また、戸厚方向に見て、この連結基部１３に設けられた軸状の係合部１４の略直下に位置するように解除部１６を設けた構成としている。なお、戸体１０の戸尻側端部にも同様な解除部１６が設けられている。
【００５２】
なお、第１ロックレバー５６のロック解除及び第２ロックレバー５７のロック解除を行う兼用の解除部１６を戸体１０に設けた態様に代えて、第１ロックレバー５６のロック解除を行う解除部と第２ロックレバー５７のロック解除を行う解除部とを設けた態様としてもよい。例えば、係合部１４の戸幅方向一方側に、第１ロックレバー５６のロック解除を行う解除部を設け、係合部１４の戸幅方向他方側に、第２ロックレバー５７のロック解除を行う解除部を設けた態様としてもよい。この場合は、第１ロックレバー５６及び第２ロックレバー５７の長さ等を適宜、変形するようにしてもよい。また、戸体１０の解除部１６、切替部３１の被ロック部３３，３４並びに第１ロック機構（レバー）５６及び第２ロック機構（レバー）５７は、上記した例に限られず、種々の変形が可能である。
【００５３】
第３ロック機構４７及び第４ロック機構４８は、図４及び図５（ｂ）に示すように、切替部３１に設けられている。
これら第３ロック機構４７及び第４ロック機構４８には、戸体１０に設けられた被ロック部１５が係合して第１ランナー４１側または第２ランナー４４側に荷重が掛けられた状態（荷重切替状態）を維持するロック部４７ｂ，４８ｂが設けられている。また、レールユニット２０の第１端部２１側及び第２端部２２側のそれぞれには、戸体１０の被ロック部１５に対する第３ロック機構４７及び第４ロック機構４８のロック部４７ｂ，４８ｂの係合を解除する解除部５１，５１Ａが設けられている。
また、切替部３１の第２端部２２側に設けられた第３ロック機構４７と第１端部２１側に設けられた第４ロック機構４８とは、左右対称状（切替部３１のガイド部３２の長手方向中心線を対称軸とする線対称状）とされている。
【００５４】
本実施形態では、第３ロック機構４７及び第４ロック機構４８のそれぞれを、切替部３１に対して戸厚方向に沿う軸３７，３８廻りに回転自在に保持され、レバー状とされた第３ロックレバー４７及び第４ロックレバー４８としている。
これら第３ロックレバー４７及び第４ロックレバー４８は、切替部３１の戸厚方向他方側に設けられ、ガイド部３２の長手方向に長尺状とされている。また、これら第３ロックレバー４７及び第４ロックレバー４８の長手方向近接側の端部には、ガイド部３２の長手方向中央部の上方側部位に対状に設けられたロック軸３７，３８が挿通される軸受孔４７ａ，４８ａが設けられている。第３ロックレバー４７のロック軸３７は、ガイド部３２の長手方向中心線よりも第２端部２２側に設けられ、第４ロックレバー４８のロック軸３８は、ガイド部３２の長手方向中心線よりも第１端部２１側に設けられている。なお、これら第３ロックレバー４７及び第４ロックレバー４８に、軸部を設け、切替部３１に軸受孔を設けた態様としてもよい。
【００５５】
また、これら第３ロックレバー４７及び第４ロックレバー４８は、長手方向途中部位にロック部４７ｂ，４８ｂを設け、長手方向遠隔側の端部（自由端部）に、解除部５１Ａ，５１に解除される被解除部４７ｅ，４８ｅを設けた構成とされている。本実施形態では、ロック部４７ｂ，４８ｂを、戸厚方向一方側及び下方側に向けて開口するように切欠状に設けられた凹段状としている。また、これらロック部４７ｂ，４８ｂを、第３ロックレバー４７及び第４ロックレバー４８の長手方向に長尺状とし、戸厚方向一方側に向く面、下方側に向く面、及び長手方向に概ね沿う方向に向く面によって区画した例を示している。これらロック部４７ｂ，４８ｂは、これらがロック状態で、第１ロックレバー５６または第２ロックレバー５７の解除が可能なように、戸体１０が切替部３１（保持具３０）に対してレール長手方向に僅かに移動可能なように形成されている。このロック部４７ｂ，４８ｂがロック状態における戸体１０の切替部３１に対する移動可能な寸法は、これらがロック状態で第１ロックレバー５６または第２ロックレバー５７の解除がなされるように、適宜の寸法とすればよく、例えば、５ｍｍ〜２０ｍｍ程度としてもよい。
【００５６】
また、これらロック部４７ｂ，４８ｂは、図５（ｂ）及び図１０（ｂ）に示すように、ガイド部３２の長手方向両端部のそれぞれと戸厚方向に見て重合可能なように設けられている。
また、これらロック部４７ｂ，４８ｂのそれぞれの遠隔側の端部側に向く面を、下方側に向かうに従い互いに近接する方向に傾斜する解除ガイド面４７ｃ，４８ｃとしている。
第３ロックレバー４７の解除ガイド面４７ｃは、第２端部２２側の斜め下方側に向く傾斜面状とされ、第１ロックレバー５６によって途中位置において停止され全開位置側に助勢される戸体１０の閉鎖位置側への移動を許容するように設けられている。
第４ロックレバー４８の解除ガイド面４８ｃは、第１端部２１側の斜め下方側に向く傾斜面状とされ、第２ロックレバー５７によって途中位置において停止され閉鎖位置側に助勢される戸体１０の全開位置側への移動を許容するように設けられている。
また、被解除部４７ｅ，４８ｅを、第３ロックレバー４７及び第４ロックレバー４８の戸厚方向他方側に向けて突出する突片状としている。また、これら被解除部４７ｅ，４８ｅを、各ロックレバー４７，４８の長手方向に平行状とされた平坦片部とこの平坦片部から互いに遠隔側に向けて上るように傾斜状とされた傾斜片部とを備えた構成としている。これら被解除部４７ｅ，４８ｅの各平坦片部は、ロック部４７ｂ，４８ｂと戸厚方向に見て重なり合う位置となるように設けられている。
【００５７】
また、切替部３１には、図示は省略しているが、これら第３ロックレバー４７及び第４ロックレバー４８をロック側へ付勢する付勢部材が設けられている。これら第３ロックレバー４７及び第４ロックレバー４８の付勢部材としては、これらの自由端部側を下方側に向けて付勢するものであればよく、例えば、ロック軸３７，３８廻りに設けられたトーションばねや、適宜のコイルばね等としてもよい。
また、切替部３１には、付勢部材によって付勢された第３ロックレバー４７及び第４ロックレバー４８のロック側への更なる回転を抑止するストッパー部３５，３６が設けられている。本実施形態では、第３ロックレバー４７の回転を抑止する第３ロックストッパー部３５と第４ロックレバー４８の回転を抑止する第４ロックストッパー部３６とを、ガイド部３２の長手方向両側方に位置するように対状に設けている。また、これら第３ロックストッパー部３５及び第４ロックストッパー部３６を、戸厚方向他方側に向けて突出するピン状としている（図４参照）。また、第３ロックストッパー部３５を、切替部３１の第２端部２２側の端部に設けられた第２被ロック部３４と略同軸状に設け、第４ロックストッパー部３６を、切替部３１の第１端部２１側の端部に設けられた第１被ロック部３３と略同軸状に設けた構成としている。
【００５８】
第３ロックレバー４７及び第４ロックレバー４８には、第３ロックストッパー部３５及び第４ロックストッパー部３６に当接される当接片部４７ｄ，４８ｄが設けられている。これら当接片部４７ｄ，４８ｄは、第３ロックレバー４７及び第４ロックレバー４８の自由端部に戸厚方向一方側に向けて突出するように設けられている。
なお、第３ロックレバー４７及び第４ロックレバー４８をロック側へ付勢する付勢部材を設けずに、これら第３ロックレバー４７及び第４ロックレバー４８がこれらの自重によってロック側へ付勢されるものとしてもよい。
【００５９】
これら第３ロックレバー４７及び第４ロックレバー４８によってロックされる戸体１０の被ロック部１５は、図４に示すように、戸厚方向他方側に向けて突出し、凹段状とされたロック部４７ｂ，４８ｂに挿し入れられるピン状とされている。本実施形態では、この被ロック部１５を、第３ロックレバー４７及び第４ロックレバー４８のそれぞれにロックされる兼用のものとしている。また、この被ロック部１５を、戸体１０の戸幅方向の端部（戸先側端部）の上端部に設けられた連結基部１３に設けている。また、この連結基部１３に設けられた軸状の係合部１４と略同軸状に被ロック部１５を設けた構成としている。
上記した解除ガイド面４７ｃ，４８ｃは、この被ロック部１５の移動を許容するように設けられている。なお、戸体１０の戸尻側端部にも同様な被ロック部１５が設けられている。
【００６０】
これら第３ロックレバー４７及び第４ロックレバー４８のロックを解除する解除部５１Ａ，５１は、戸厚方向に軸方向を沿わせたピン状とされている。本実施形態では、図１０（ｂ）に示すように、第３ロックレバー４７のロックを解除する第３ロック解除部５１Ａを、第２ロックユニット５０Ａに設けている。また、図５（ｂ）に示すように、第４ロックレバー４８のロックを解除する第４ロック解除部５１を、第１ロックユニット５０に設けている。これら第３ロック解除部５１Ａ及び第４ロック解除部５１は、第３ロックレバー４７及び第４ロックレバー４８の戸厚方向他方側に位置するように設けられた各ロックユニット５０Ａ，５０の戸厚方向他方側のプレート状部に戸厚方向一方側に向けて突出するように設けられている（図４参照）。
【００６１】
なお、上記した例では、戸体１０の被ロック部１５を、第３ロックレバー４７及び第４ロックレバー４８のそれぞれにロックされる兼用のものとした例を示しているが、個別にロックされる一対の被ロック部１５を設けた構成としてもよい。また、戸体１０の被ロック部１５、レールユニット２０の第１端部２１側及び第２端部２２側のそれぞれに設けられる解除部５１，５１Ａ、並びに第３ロック機構（レバー）４７及び第４ロック機構（レバー）４８は、上記した例に限られず、種々の変形が可能である。
【００６２】
次に、上記構成とされた引戸装置１の戸体１０の開閉動作の一例について、図５〜図１０を参照して説明する。
図５（ａ）に示すように、戸体１０が閉鎖位置においてレールユニット２０の第１端部２１側に位置する保持具３０は、第１ロックレバー５６によってレールユニット２０の第２端部２２側への移動が抑止された状態である。つまり、保持具３０は、切替部３１の第１被ロック部３３が第１ロックレバー５６のロック部５６ｂに受け入れられるように係合し、第２端部２２側への移動が抑止された状態である。
【００６３】
また、図５（ｂ）に示すように、閉鎖位置とされた戸体１０は、上記のように第２端部２２側への移動が抑止された保持具３０の切替部３１に対してガイド部３２に沿って第１ランナー４１側に荷重を掛ける状態に向けて移動可能な状態である。つまり、戸体１０が閉鎖位置では、第４ロックレバー４８の被解除部４８ｅの平坦片部が第１ロックユニット５０の第４ロック解除部５１に乗り上げるように保持され、ロック部４８ｂが戸体１０の被ロック部１５の上側に位置してロック解除された状態とされる。このように、第４ロックレバー４８がロック解除された状態でも、閉鎖位置では、上述のようにガイド部３２が第２ランナー４４側から第１ランナー４１側に向けて上り坂状であるので、第２ランナー４４側に荷重が掛けられた状態の維持がなされる。また、この状態では、第３ロックレバー４７の当接片部４７ｄが切替部３１の第３ロックストッパー部３５に当接して保持され、ロック部４７ｂが戸厚方向に見てガイド部３２の第２端部２２側の端部に重なり合うように位置し、ロック可能な状態とされる。
【００６４】
上記のように、閉鎖位置とされた戸体１０を開放側へ移動させれば、図５（ａ）及び図６（ａ）に示すように、戸体１０の解除部１６が第１ロックレバー５６の下方側に沿って近接または当接しながら移動する。また、図５（ｂ）及び図６（ｂ）に示すように、戸体１０の被ロック部１５が第４ロックレバー４８及び第３ロックレバー４７の下方側に沿って近接または当接しながら移動する。この際、戸体１０の被ロック部１５は、ロック可能状態とされた第３ロックレバー４７の自由端部側を第３ロックレバー４７の付勢部材の付勢に抗して押し上げるように移動する。そして、図７（ｂ）に示すように、戸体１０の被ロック部１５が第３ロックレバー４７のロック部４７ｂに至れば、付勢部材に付勢された第３ロックレバー４７がロック側へ回転し、被ロック部１５がロック部４７ｂに係合して第３ロックレバー４７がロック状態となる。これにより、第１ランナー４１側に荷重が掛けられた状態に維持される。
【００６５】
また、このように第３ロックレバー４７がロック状態とされた際に戸体１０を停止させれば、図７（ａ）に示すように、第１ロックレバー５６がロック状態であるので、戸体１０の全開位置側への移動を抑止することができる。つまり、第１ランナー４１側に荷重が掛けられて全開位置側に助勢された戸体１０を、途中位置において停止可能としている（図１（ｂ）及び図２（ａ）も参照）。つまりは、この状態では、開口９の一部が開放された半開き状となる。なお、このように戸体１０を途中位置において停止させる際の目安となる目印を適所に設けたり、節度感を付与する機構を設けたりしてもよい。
また、この状態で、戸体１０を閉鎖位置側に向けて移動させれば、解除ガイド面４７ｃに当接しながら閉鎖側に移動する被ロック部１５によって第３ロックレバー４７がロック解除側に回転してロック解除され、戸体１０の閉鎖位置側への移動が可能となる。
【００６６】
また、第３ロックレバー４７がロック状態とされてから戸体１０を更に開放側へ僅かに移動させれば、図８（ａ）に示すように、第１ロックレバー５６の被解除部５６ｄの傾斜面のガイド作用によって被解除部５６ｄが戸体１０の解除部１６に押し上げられ、第１ロックレバー５６がロック解除側へ回転する。つまり、第１ロックレバー５６は、ロック部５６ｂが下方側に移動するように付勢部材５５の付勢に抗して軸部５２廻りに回転し、保持具３０の第１被ロック部３３に対するロック部５６ｂのロックが解除される。これにより、図９（ａ）、（ｂ）に示すように、第１端部２１側に位置された保持具３０の第２端部２２側への移動が可能となる。また、第１ランナー４１側に荷重が掛けられた状態であるので、保持具３０及び戸体１０は、第１レール２３を下るように第２端部２２側（開放側）に向けて助勢される（自走する）。また、このように戸体１０が開放側へ移動すれば、第４ロックレバー４８の被解除部４８ｅが第１ロックユニット５０の第４ロック解除部５１から離間する。これにより、第４ロックレバー４８の当接片部４８ｄが切替部３１の第４ロックストッパー部３６に当接して保持され、ロック部４８ｂが戸厚方向に見てガイド部３２の第１端部２１側の端部に重なり合うように位置し、ロック可能な状態とされる。
【００６７】
また、更なる戸体１０の開放側への移動（自走）を伴い、保持具３０が第２端部２２近傍に至れば、図示は省略しているが、保持具３０の第２被ロック部３４が第２ロックレバー５７の上方側に沿って近接または当接しながら移動する。また、保持具３０の第２被ロック部３４が付勢部材５５の付勢に抗して第２ロックレバー５７のロック部５７ｂ側部位を押下げながら移動し、戸体１０が全開位置となれば、保持具３０の第２被ロック部３４が第２ロックレバー５７のロック部５７ｂに係合する。つまり、保持具３０の第２被ロック部３４が第２ロックレバー５７のロック部５７ｂに至れば、付勢部材５５によって第２ロックレバー５７がロック側へ回転し、図１０（ａ）に示すように、ロック状態となる。これにより、第２端部２２側に位置する保持具３０の第１端部２１側への移動が抑止される。
【００６８】
また、このように戸体１０の開放側への移動（自走）を伴い、保持具３０が第２端部２２近傍に至れば、第３ロックレバー４７の被解除部４７ｅの傾斜片部が第３ロック解除部５１Ａに当接する。そして、この被解除部４７ｅの傾斜片部のガイド作用によって第３ロックレバー４７の自由端部が第３ロック解除部５１Ａに押し上げられるように回転する。さらに、戸体１０が全開位置となれば、図１０（ｂ）に示すように、被解除部４７ｅの平坦片部が第３ロック解除部５１Ａに保持され、ロック部４７ｂが戸体１０の被ロック部１５の上側に位置し、第３ロックレバー４７のロックが解除された状態となる。このように、第３ロックレバー４７がロック解除された状態でも、全開位置では、上述のようにガイド部３２が第１ランナー４１側から第２ランナー４４側に向けて上り坂状であるので、第１ランナー４１側に荷重が掛けられた状態の維持がなされる。
また、このように全開位置とされた戸体１０は、上記のように第１端部２１側への移動が抑止された保持具３０の切替部３１に対してガイド部３２に沿って第２ランナー４４側に荷重を掛ける状態に向けて移動可能な状態である。
【００６９】
また、このように全開位置とされた戸体１０を閉鎖側へ移動させる際も、上記と概ね同様、戸体１０の移動に伴い被ロック部１５が移動し、被ロック部１５がロック部４８ｂに係合して第４ロックレバー４８がロック状態となる。これにより、第２ランナー４４側に荷重が掛けられた状態に維持される。また、上記同様、第４ロックレバー４８がロック状態とされた際に戸体１０を停止させれば、第２ロックレバー５７がロック状態であるので、戸体１０の閉鎖位置側への移動を抑止することができる。つまり、第２ランナー４４側に荷重が掛けられて閉鎖位置側に助勢された戸体１０を、途中位置において停止可能としている。この状態で、戸体１０を全開位置側に向けて移動させれば、上記同様、解除ガイド面４８ｃのガイド作用によって第４ロックレバー４８がロック解除側に回転してロック解除され、戸体１０の全開位置側への移動が可能となる。
また、第４ロックレバー４８がロック状態とされてから戸体１０を更に閉鎖側へ僅かに移動させれば、上記と概ね同様、解除部１６の移動によって、保持具３０の第２被ロック部３４に対する第２ロックレバー５７のロック部５７ｂのロックが解除される。これにより、第２端部２２側に位置された保持具３０の第１端部２１側への移動が可能となる。また、第２ランナー４４側に荷重が掛けられた状態であるので、保持具３０及び戸体１０は、第２レール２６を下るように第１端部２１側（閉鎖側）に向けて助勢される（自走する）。また、このように戸体１０が閉鎖側へ移動すれば、上記と概ね同様、第３ロックレバー４７が第３ロック解除部５１Ａから離間し、ロック可能な状態とされる。
【００７０】
また、更なる戸体１０の閉鎖側への移動（自走）を伴い、保持具３０が第１端部２１近傍に至れば、上記と概ね同様、保持具３０の第１被ロック部３３が第１ロックレバー５６のロック部５６ｂに係合する。つまり、第１ロックレバー５６がロック状態となり、第１端部２１側に位置する保持具３０の第２端部２２側への移動が抑止される。
また、このように戸体１０の閉鎖側への移動（自走）を伴い、保持具３０が第１端部２１近傍に至れば、上記と概ね同様、第４ロックレバー４８の被解除部４８ｅの傾斜片部が第４ロック解除部５１に当接し、第４ロックレバー４８のロックが解除された状態となる。
なお、解除ガイド面４７ｃ，４８ｃを、戸体１０の被ロック部１５に対するロック部４７ｂ，４８ｂの係合を解除する解除部としても機能させ、被解除部４７ｅ，４８ｅ及びロック解除部５１，５１Ａを設けないようにしてもよい。
【００７１】
本実施形態に係る引戸装置１は、上述のような構成としたことで、少なくとも一方側への戸体１０の走行の助勢を可能としながらも、戸体１０を途中位置において停止させることができる。
つまり、全開位置側及び閉鎖位置側のうちの少なくともいずれか一方側となる第１位置側への戸体１０の走行を助勢する助勢機構２を備えた構成としている。従って、戸体１０を第１位置側にスライドさせる際に、戸体１０の走行を助勢することができ、操作者の負担を軽減することができる。
また、この助勢機構２の助勢に抗して戸体１０を途中位置において、解除可能に停止させるストッパー機構（第１ロックレバー及び第２ロックレバー）５６，５７を備えた構成としている。従って、第１位置側に走行が助勢された戸体１０を、途中位置において停止させることができ、いわゆる半開き状態にすることができる。これにより、通気したい場合や、間仕切られた個室等の空間の様子や気配を伺ったり、垣間見たりしたい場合が生じることが多々ある医療施設や福祉施設等の個室の開口９を開閉する引戸装置１としても好適なものとなる。
【００７２】
また、本実施形態では、ストッパー機構（第１ロックレバー及び第２ロックレバー）５６，５７を、途中位置において停止された戸体１０を第１位置側に向けて移動させれば解除される構成としている。従って、戸体１０を第１位置側に向けて移動させ、停止が解除されれば、助勢機構２によって第１位置側に向けて戸体１０の走行を助勢することができる。これにより、例えば、ストッパー機構５６，５７による停止を解除する操作部を手動操作等する必要があるようなものと比べて、使い勝手を向上させることができる。
【００７３】
また、本実施形態では、助勢機構２を、途中位置において停止された戸体１０の第１位置側とは異なる側となる第２位置側への移動を許容する構成としている。従って、途中位置において停止させた戸体１０を、助勢機構２によって助勢される側とは異なる側となる第２位置側に移動させることができる。これにより、例えば、助勢機構２を、戸体１０を第２位置側に移動不能にロックするようなものとした場合と比べて、使い勝手を向上させることができる。
【００７４】
また、本実施形態では、助勢機構２を、第２位置側から第１位置側に向けて下り坂状とされたレール２３，２６と、レール２３，２６の第２位置側の端部において第１位置側に向けて戸体１０を上らせるようにガイドする上り坂ガイド部（ガイド部）３２と、を備えた構成としている。従って、上記のように、戸体１０をガイド部３２に沿わせて上らせるようにスライドさせれば、ランナー４１，４４がレール２３，２６を下るように走行し、第１位置側への戸体１０の走行を助勢することができる。これにより、例えば、ラックと歯車やゼンマイバネ等の駆動機構や、レール自体を傾動させる機構等を助勢機構として設けたものと比べて、比較的に長尺となるレール２３，２６自体の構造を簡略化することができ、耐久性や取付性を向上させることができる。
【００７５】
また、本実施形態では、ランナー４１，４４，４１，４４を、戸体１０の戸幅方向両端部のそれぞれに対状に連結し、助勢機構２のレール２３，２６，２３，２６を、これら一対のランナー４１，４４，４１，４４のそれぞれをガイドするように対状に設けている。従って、戸体１０の走行を安定的にガイドし、助勢することができる。また、助勢機構２のガイド部３２，３２を、戸体１０の戸幅方向両端側をガイドするように対状に設けている。従って、戸体１０を上らせるようにスライドさせる際にも安定的にガイドすることができる。
【００７６】
また、本実施形態では、助勢機構２を、全開位置側及び閉鎖位置側の両側への戸体１０の走行を助勢する構成としている。従って、戸体１０を全開位置側及び閉鎖位置側の両側にスライドさせる際に、戸体１０の走行を助勢することができ、操作者の負担を軽減することができる。
また、第１レール２３と第２レール２６とを互いに逆側に傾斜状に設けた構成としている。また、戸体１０を保持する保持具３０のランナー４１，４４を、第１レール２３を下る方向に走行補助する状態と第２レール２６を下る方向に走行補助する状態とに切り替えられる切替機構（切替部）３１を備えた構成としている。従って、簡易な構成で、戸体１０を、各レール２３，２６の長手方向に沿って走行させる際に、各レール２３，２６の傾斜によって助勢することができ、言わば、半自動的に走行させることができる。
【００７７】
なお、戸体１０の戸幅方向両端側の一対の保持具３０，３０同士を連結する連結部材を設けた構成としてもよい。この場合は、各保持具３０，３０の重心を移動させるように戸体１０を移動させる際の各切替部３１，３１の移動を抑止する単一の第１ロックレバー５６と単一の第２ロックレバー５７とを設けた構成としてもよい。つまりは、第１ランナー４１，４１側に荷重を掛ける状態に戸体１０を移動させる際における各切替部３１，３１の移動の抑止を、単一の第１ロックレバー５６によって可能とした構成としてもよい。また、第２ランナー４４，４４側に荷重を掛ける状態に戸体１０を移動させる際における各切替部３１，３１の移動の抑止を、単一の第２ロックレバー５７によって可能とした構成としてもよい。
また、戸体１０の戸幅方向両端側に連結された一方の保持具を、水平方向に延びるように配される水平レールにガイドされるランナーを設けた構成としてもよい。
また、閉鎖位置及び全開位置のうちの少なくとも一方側に移動する戸体１０を減速させ、跳ね返りや衝撃を緩和する緩衝機構を設けた構成としてもよい。
【００７８】
また、本実施形態では、戸体１０の戸幅方向両端部を、一対の保持具３０，３０に連結し、戸幅方向に２本のレールユニット２０，２０を直列状に設けた例を示しているが、このような態様に限られない。例えば、戸体１０の上端部を、３つ以上の保持具３０に連結し、戸幅方向に３本以上のレールユニット２０を直列状に設けた態様としてもよい。さらには、このように戸体１０の複数箇所を保持する保持具３０を設け、戸幅方向に複数のレールユニット２０を直列状に設けた態様に代えて、戸体１０の戸幅方向中央部等の単一箇所を保持する保持具３０を設け、単一のレールユニット２０を設けた態様としてもよい。
また、本実施形態では、レールユニット２０を、上枠４に固定した例を示しているが、天井面等に固定するようにしてもよく、また、天井に埋込状に固定するようにしてもよい。
また、本実施形態では、単一の第２レール２６の幅方向両側に一対の第１レール２３，２３を設け、これらにガイドされる一対の第１ランナー４１，４１を保持具３０に設けた構成とした例を示しているが、このような態様に限られない。これとは逆に、単一の第１レール２３の幅方向両側に一対の第２レール２６を設け、これらにガイドされる一対の第２ランナー４４を保持具３０に設けた構成としてもよい。または、単一の第１レール２３と単一の第２レール２６とを設け、これらのそれぞれにガイドされる各ランナー４１，４４を保持具３０に設けた構成としてもよい。また、本実施形態では、第１レール２３と第２レール２６とを、幅方向に並列状に設けた構成とした例を示しているが、これらを上下方向に並列状に設けた構成としてもよい。
【００７９】
また、本実施形態では、各ロック機構５６，５７，４７，４８のロック及びロック解除が、戸体１０の移動に伴いなされる構成とした例を示しているが、このような態様に限られない。これらロック機構５６，５７，４７，４８のうちの一部または全てのロック及びロック解除が、適宜の操作部等によってなされる構成とされたものとしてもよい。さらには、このようなロック機構５６，５７，４７，４８のうちの一部を設けずに、適宜のロック部材や人力等によって切替部３１の移動の抑止や、各ランナー４１，４４側に荷重が掛けられた状態の維持がなされる構成としてもよい。
また、本実施形態では、保持具３０のレール長手方向に間隔を空けて第１ランナー４１と第２ランナー４４とを設けた例を示しているが、このような態様に限られない。例えば、保持具３０のレール幅方向に間隔を空けて第１ランナー４１と第２ランナー４４とを設けた構成としてもよい。この場合は、切替部３１を、戸体１０をレール幅方向にスライド自在に保持する構成とし、この切替部３１に対して戸体１０がレール幅方向に移動されることで、上述のような重心移動がなされる構成としてもよい。
また、第１ランナー４１が第１レール２３を下る際及び第２ランナー４４が第２レール２６を下る際に、戸体１０が自走するものに限られず、人力補助が必要なものとしてもよい。
【００８０】
また、本実施形態では、互いに逆側に傾斜する第１レール２３及び第２レール２６と、切替機構（切替部）３１と、を設けて全開位置側及び閉鎖位置側の両側への戸体１０の走行を助勢する構成としたが、このような態様に限られない。例えば、ラックと歯車やゼンマイバネ等の駆動機構や、レール自体を傾動させる機構等を助勢機構として設けたものとしてもよい。この場合は、ストッパー機構５６，５７等を適宜、変形するようにしてもよい。
また、本実施形態では、全開位置側に向けて助勢される戸体１０を途中位置において停止させるストッパー機構（第１ロック機構）５６と閉鎖位置側に向けて助勢される戸体１０を途中位置において停止させるストッパー機構（第２ロック機構）５７とを設けた例を示しているが、これらのうちの一方側のみを設けた態様としてもよい。
【００８１】
また、本実施形態では、全開位置側及び閉鎖位置側の両側に戸体１０の走行の助勢がなされる構成としたが、全開位置側及び閉鎖位置側のうちのいずれか一方側となる第１位置側への走行の助勢のみがなされる構成としてもよい。この場合は、切替部３１が変位してガイド部３２の傾斜が反転されるようなものに代えて、第１位置側に走行を助勢する側に向かうに従い下るように傾斜するレールの坂上側（第２位置側）の端部に一体的に、第１位置側に向けて戸体１０を上らせるようにガイドする上り坂ガイド部を設けた構成としてもよい。また、助勢機構２としては、このようなレールを傾斜させた態様に限られず、レールに一端が固定され他端が戸体１０に固定されたゼンマイばねや引張ばね等のばねを備えたものとしてもよく、その他、種々の変形が可能である。
また、助勢機構２の助勢に抗して戸体１０を途中位置において、解除可能に停止させるストッパー機構５６，５７としては、途中の一箇所において停止させるものに限られず、複数箇所において停止可能としたものとしてもよい。さらには、戸体１０を、任意の位置において停止可能としたものとしてもよい。また、このようなストッパー機構５６，５７としては、上記のような回転自在とされたロックレバー状のものに限られず、スライド自在とされたものや、摩擦抵抗等を利用して戸体１０を停止させるようなもの等としてもよく、その他、種々の変形が可能である。
【符号の説明】
【００８２】
１      引戸装置
２      助勢機構
１０    戸体
２３    第１レール
２６    第２レール
３２    ガイド部（上り坂ガイド部）
４１    第１ランナー
４４    第２ランナー
５６    第１ロックレバー（ストッパー機構）
５７    第２ロックレバー（ストッパー機構）
９      開口
【図１】
2019143471.tif 000003
【図２】
2019143471.tif 000004
【図３】
2019143471.tif 000005
【図４】
2019143471.tif 000006
【図５】
2019143471.tif 000007
【図６】
2019143471.tif 000008
【図７】
2019143471.tif 000009
【図８】
2019143471.tif 000010
【図９】
2019143471.tif 000011
【図１０】
2019143471.tif 000012